(57)【特許請求の範囲】
【請求項１】
液保持性の吸収体と該吸収体の非肌対向面側に配された裏面シートとを具備し、着用者の前後方向に対応する縦方向とこれに直交する横方向とを有すると共に、着用者の股間部に配される股下部を有する吸収性物品であって、
前記吸収体は、吸水性ポリマー及び親水性繊維を含む吸収性コアと、該吸収性コアの肌対向面を被覆する肌側コアラップシートと、該吸収性コアの非肌対向面を被覆する非肌側コアラップシートとを含んで構成されており、少なくとも該非肌側コアラップシートは不織布からなり、
前記吸収性コアに、該吸収性コアを厚み方向に貫通する孔からなる非積繊部が、前記股下部において縦方向に延びるように形成され、該非積繊部において前記肌側コアラップシートと前記非肌側コアラップシートとが接合されており、
前記吸収性コアが液を吸収していない状態において、該吸収性コアと前記裏面シートとの間に、前記非肌側コアラップシートの一部が横方向に折り畳まれたタック部が形成されており、且つ該タック部の少なくとも一部が、該吸収性コアにおける前記非積繊部以外の部分と該吸収性コアの厚み方向において重なっており、
前記タック部は、該タック部を形成する際の折り曲げ端部でもある先端部と、該先端部とは反対側に位置する基端部とを有し、且つ前記吸収性コアが液を吸収して徐々に膨潤していくと、その膨潤に伴って、該タック部における相対向する前記非肌側コアラップシートの間が該基端部側から徐々に開いていくようになされており、
前記吸収性コアの非肌対向面と前記非肌側コアラップシートとの間に接着剤が塗布されて、平面視において縦方向に延びる連続線状の非肌側接着剤塗布部が複数形成されており、複数の該非肌側接着剤塗布部は、横方向に間欠的に配され且つ前記タック部と重なっていない吸収性物品。
【請求項２】
液保持性の吸収体と該吸収体の非肌対向面側に配された裏面シートとを具備し、着用者の前後方向に対応する縦方向とこれに直交する横方向とを有すると共に、着用者の股間部に配される股下部を有する吸収性物品であって、
前記吸収体は、吸水性ポリマー及び親水性繊維を含む吸収性コアと、該吸収性コアの肌対向面を被覆する肌側コアラップシートと、該吸収性コアの非肌対向面を被覆する非肌側コアラップシートとを含んで構成されており、少なくとも該非肌側コアラップシートは不織布からなり、
前記吸収性コアに、該吸収性コアを厚み方向に貫通する孔からなる非積繊部が、前記股下部において縦方向に延びるように形成され、該非積繊部において前記肌側コアラップシートと前記非肌側コアラップシートとが接合されており、
前記吸収性コアが液を吸収していない状態において、該吸収性コアと前記裏面シートとの間に、前記非肌側コアラップシートの一部が横方向に折り畳まれたタック部が形成されており、且つ該タック部の少なくとも一部が、該吸収性コアにおける前記非積繊部以外の部分と該吸収性コアの厚み方向において重なっており、
前記タック部は、該タック部を形成する際の折り曲げ端部でもある先端部と、該先端部とは反対側に位置する基端部とを有し、且つ前記吸収性コアが液を吸収して徐々に膨潤していくと、その膨潤に伴って、該タック部における相対向する前記非肌側コアラップシートの間が該基端部側から徐々に開いていくようになされており、
前記吸収性コアの非肌対向面と前記非肌側コアラップシートとの間に接着剤が塗布されて、平面視において縦方向に延びる連続線状の非肌側接着剤塗布部が複数形成されており、複数の該非肌側接着剤塗布部は、横方向に間欠的に配され且つ前記タック部と重なっておらず、
前記非肌側接着剤塗布部による前記吸収性コアの非肌対向面と前記非肌側コアラップシートとの接合力は、前記非積繊部における前記肌側コアラップシートと該非肌側コアラップシートとの接合力に比して弱い吸収性物品。
【請求項３】
前記吸収性コアの肌対向面と前記肌側コアラップシートとの間に接着剤が塗布されて、平面視において縦方向に延びる連続線状の肌側接着剤塗布部が形成されており、
前記吸収体の平面視において、該吸収体を縦方向に縦断する仮想直線を任意の位置に１本引いた場合、その１本の仮想直線と前記肌側接着剤塗布部又は前記非肌側接着剤塗布部とが重なる請求項１又は２に記載の吸収性物品。
【請求項４】
液保持性の吸収体と該吸収体の非肌対向面側に配された裏面シートとを具備し、着用者の前後方向に対応する縦方向とこれに直交する横方向とを有すると共に、着用者の股間部に配される股下部を有する吸収性物品であって、
前記吸収体は、吸水性ポリマー及び親水性繊維を含む吸収性コアと、該吸収性コアの肌対向面を被覆する肌側コアラップシートと、該吸収性コアの非肌対向面を被覆する非肌側コアラップシートとを含んで構成されており、少なくとも該非肌側コアラップシートは不織布からなり、
前記吸収性コアに、該吸収性コアを厚み方向に貫通する孔からなる非積繊部が、前記股下部において縦方向に延びるように形成され、該非積繊部において前記肌側コアラップシートと前記非肌側コアラップシートとが接合されており、
前記吸収性コアが液を吸収していない状態において、該吸収性コアと前記裏面シートとの間に、前記非肌側コアラップシートの一部が横方向に折り畳まれたタック部が形成されており、且つ該タック部の少なくとも一部が、該吸収性コアにおける前記非積繊部以外の部分と該吸収性コアの厚み方向において重なっており、
前記タック部は、該タック部を形成する際の折り曲げ端部でもある先端部と、該先端部とは反対側に位置する基端部とを有し、且つ前記吸収性コアが液を吸収して徐々に膨潤していくと、その膨潤に伴って、該タック部における相対向する前記非肌側コアラップシートの間が該基端部側から徐々に開いていくようになされており、
前記吸収体は、前記タック部以外の部分にて前記裏面シートと接着剤を介して接合されている吸収性物品。
【請求項５】
液保持性の吸収体と該吸収体の非肌対向面側に配された裏面シートとを具備し、着用者の前後方向に対応する縦方向とこれに直交する横方向とを有すると共に、着用者の股間部に配される股下部を有する吸収性物品であって、
前記吸収体は、吸水性ポリマー及び親水性繊維を含む吸収性コアと、該吸収性コアの肌対向面を被覆する肌側コアラップシートと、該吸収性コアの非肌対向面を被覆する非肌側コアラップシートとを含んで構成されており、少なくとも該非肌側コアラップシートは不織布からなり、
前記吸収性コアに、該吸収性コアを厚み方向に貫通する孔からなる非積繊部が、前記股下部において縦方向に延びるように形成され、該非積繊部において前記肌側コアラップシートと前記非肌側コアラップシートとが接合されており、
前記吸収性コアが液を吸収していない状態において、該吸収性コアと前記裏面シートとの間に、前記非肌側コアラップシートの一部が横方向に折り畳まれたタック部が形成されており、且つ該タック部の少なくとも一部が、該吸収性コアにおける前記非積繊部以外の部分と該吸収性コアの厚み方向において重なっており、
前記タック部は、該タック部を形成する際の折り曲げ端部でもある先端部と、該先端部とは反対側に位置する基端部とを有し、且つ前記吸収性コアが液を吸収して徐々に膨潤していくと、その膨潤に伴って、該タック部における相対向する前記非肌側コアラップシートの間が該基端部側から徐々に開いていくようになされており、
前記吸収性コアに前記非積繊部が縦方向及び横方向の両方向に延びるように形成されており、
前記タック部は、前記吸収体の横方向の中央部及び両側部に形成されており、該横方向両側部それぞれの方が、該横方向中央部に比して該タック部の数が多い吸収性物品。
【請求項６】
折り畳まれた状態の前記タック部において相対向する前記非肌側コアラップシートどうしは、互いに接合されていないか、又は互いに接合されているがその接合力は、前記非積繊部における前記肌側コアラップシートと前記非肌側コアラップシートとの接合力に比して弱い請求項１〜５の何れか一項に記載の吸収性物品。
【請求項７】
前記非積繊部において前記肌側コアラップシートと前記非肌側コアラップシートとが融着している請求項１〜６の何れか一項に記載の吸収性物品。
【発明の詳細な説明】
【技術分野】
【０００１】
本発明は、使い捨ておむつ等の吸収性物品に関する。
【背景技術】
【０００２】
吸収性物品の典型的な形態としては、液透過性の表面シート、液不透過性の裏面シート及び両シート間に配置された縦長の吸収体を具備しているものが挙げられる。また、吸収体としては、木材パルプ等のセルロース系繊維及び吸水性ポリマーを含む液保持性の吸収性コアと、該吸収性コアを被覆する透水性のコアラップシートとを含んで構成されているものが知られている。コアラップシートは、吸収体の製造時には吸水性ポリマー等の吸収性コア形成材料を受けるためのシートとして働き、製造後には吸収性コアを包んで形状化する役割などを果たす。
【０００３】
また従来、吸収性物品において尿等の排泄液の縦方向への拡散性を向上させる等の目的で、吸収性コアに該吸収性コアを厚み方向に貫通する孔からなる非積繊部を縦方向に延びるように形成すること行われている。例えば特許文献１には、吸収性コアにおける股下部の横方向の中央部及び両側部に、平面視において縦方向に延びる非積繊部を形成し、該横方向両側部の非積繊部においては、該吸収性コアの上下に位置する２枚のコアラップシートどうしを接合するが、該横方向中央部の非積繊部においては両コアラップシートどうしを接合しないことが記載されている。特許文献１によれば、吸収性コアの保形性に優れると共に、吸水性ポリマーの膨潤阻害が生じにくく、吸水性ポリマーの吸収性能が充分に発現できるとされている。
【０００４】
また特許文献２には、裏面シート及び吸収体それぞれの縦方向に沿う側部領域に、それらの折り畳み部からなるプリーツが形成された吸収性物品が記載されている。このプリーツは、吸収体の側部領域に沿って形成されたＺ字状の折り畳み部と、裏面シートの側部領域に沿って形成されたＺ字状の折り畳み部とが、互いに折り込まれて形成されており、液体を吸収するのに伴って広がり、尚且つ広がって使用者の身体を囲むように配置されるとされている。
【先行技術文献】
【特許文献】
【０００５】
【特許文献１】特開２０１２−３４７１５号公報
【特許文献２】特表２００４−５２５７３２号公報
【発明の概要】
【発明が解決しようとする課題】
【０００６】
吸水性ポリマー等の吸収性材料を含んで構成される吸収性コアには、吸水性ポリマーの脱落、吸水性ポリマーが液を吸収して膨潤することに起因する吸収性コアの部分的な破壊やその後のより大きな破壊即ち吸収性コアの崩壊等の課題がある。斯かる課題を有する吸収性コアに対し、特許文献１に記載されているように、吸収性材料の存在しない非積繊部を設け、該非積繊部にて該吸収性コアの上下に配されているコアラップシートどうしを接合することは、前記課題を解決する上で有効である。また、特許文献１に記載されているように、吸収性コアの非積繊部を吸収性物品の縦方向に延びるように形成した場合には、該非積繊部が尿等の排泄液の導通路として機能するため、液拡散性の向上延いては吸収性能の向上も期待できる。しかし、吸水性ポリマーの脱落や吸収性コアの破壊を確実に防止するためには、吸収性コアの非積繊部におけるコアラップシートどうしの接合力を、吸収性コアの膨潤しようとする力に負けないような強いものにする必要があるところ、非積繊部におけるコアラップシートどうしの接合をそのような強力なものにすると、吸収性コア延いてはそれを構成する吸水性ポリマーの膨潤が阻害され、吸収性能が低下するおそれがある。
【０００７】
このように、コアラップシートによる吸収性コアの膨潤抑制によって奏される吸収性コアの破壊防止効果と、該吸収性コアの吸収性能とは、二律背反の関係にあり、両者を高いレベルで両立し得る技術は未だ提供されていない。特許文献２に記載されているように、吸収性物品の構成部材を折り畳んでプリーツを形成する技術は、吸収性コアの破壊防止と吸収性能の低下防止とを両立し得る可能性はあるが、特許文献２記載発明においては、プリーツが吸収体の側部領域に形成されているため、液を吸収すると横方向外方に広がって吸収体の配置領域からはみ出すため、吸収体の破壊を効果的に防止できない。
【０００８】
従って本発明は、吸収性能の低下を招かずに、吸収性コアの破壊や吸収性コアからの吸収性材料の脱落を防止することができ、着用中長時間に亘って優れた吸収性能を発揮し得る吸収性物品に関する。
【課題を解決するための手段】
【０００９】
本発明は、液保持性の吸収体と該吸収体の非肌対向面側に配された裏面シートとを具備し、着用者の前後方向に対応する縦方向とこれに直交する横方向とを有すると共に、着用者の股間部に配される股下部を有する吸収性物品であって、前記吸収体は、吸水性ポリマー及び親水性繊維を含む吸収性コアと、該吸収性コアの肌対向面を被覆する肌側コアラップシートと、該吸収性コアの非肌対向面を被覆する非肌側コアラップシートとを含んで構成されており、少なくとも該非肌側コアラップシートは不織布からなり、前記吸収性コアに、該吸収性コアを厚み方向に貫通する孔からなる非積繊部が、前記股下部において縦方向に延びるように形成され、該非積繊部において前記肌側コアラップシートと前記非肌側コアラップシートとが接合されており、前記吸収性コアが液を吸収していない状態において、該吸収性コアと前記裏面シートとの間に、前記非肌側コアラップシートの一部が横方向に折り畳まれたタック部が形成されており、且つ該タック部の少なくとも一部が、該吸収性コアにおける前記非積繊部以外の部分と該吸収性コアの厚み方向において重なっている吸収性物品を提供するものである。
【発明の効果】
【００１０】
本発明によれば、吸収性能の低下を招かずに、吸収性コアの破壊や吸収性コアからの吸収性材料の脱落を防止することができ、着用中長時間に亘って優れた吸収性能を発揮し得る吸収性物品が提供される。
【図面の簡単な説明】
【００１１】
【図１】図１は、本発明の吸収性物品の一実施形態としての使い捨ておむつを各部の弾性部材を伸張させて平面状に拡げた展開状態を示す表面シート側即ち肌対向面側の一部破断平面図である。
【図２】図２は、図１のＩ−Ｉ線断面の模式的な横断面図である。
【図３】図３は、図２に示す吸収体と裏面シートとを分離させてより詳細に示した図２相当図である。
【図４】図４は、図３に示す吸収体が液を吸収して膨潤した状態を模式的に示す図３相当図である。
【図５】図５は、本発明に係る吸収体の他の実施形態の肌対向面を模式的に示す平面図である。
【図６】図６は、図５のＩＩ−ＩＩ線断面の模式的な横断面図である。
【発明を実施するための形態】
【００１２】
以下、本発明の吸収性物品について、その好ましい一実施形態である使い捨ておむつに基づき図面を参照しながら説明する。図１及び図２には、本実施形態の使い捨ておむつ１が示されている。おむつ１は、液保持性の吸収体４と該吸収体４の非肌対向面側に配された裏面シート３とを具備し、着用者の前後方向に対応する縦方向Ｘとこれに直交する横方向Ｙとを有すると共に、着用者の股間部に配される股下部１Ｍを有する。着用者の前後方向は、着用者の腹側から排泄部のある股間部を介して背側に延びる方向である。
【００１３】
おむつ１は、いわゆる展開型の使い捨ておむつであり、図１及び図２に示すように、液保持性の吸収体４と、該吸収体４の肌対向面側に配され、着用時に着用者の肌と接触し得る液透過性の表面シート２と、該吸収体４の非肌対向面側に配された液不透過性ないし撥水性の裏面シート３とを具備している。吸収体４は、両シート２，３間に介在配置されており、図１に示す如き平面視において縦方向Ｘに長い形状をしており縦長である。また、おむつ１は、着用時に着用者の腹側に配される腹側部１Ｆ及び背側に配される背側部１Ｒとそれらの間に位置する股下部１Ｍとを有すると共に、腹側部１Ｆから股下部１Ｍを介して背側部１Ｒに延びる縦方向Ｘとこれに直交する横方向Ｙとを有する。
【００１４】
本明細書において、「肌対向面」は、吸収性物品又はその構成部材（例えば吸収体４）における、吸収性物品の着用時に着用者の肌側に向けられる面即ち相対的に着用者の肌に近い側であり、「非肌対向面」は、吸収性物品又はその構成部材における、吸収性物品の着用時に肌側とは反対側に向けられる面即ち相対的に着用者の肌から遠い側である。尚、ここでいう「着用時」は、通常の適正な着用位置が維持された状態を意味し、吸収性物品が該着用位置からずれた状態にある場合は含まない。
【００１５】
表面シート２及び裏面シート３は、それぞれ、吸収体４よりも大きな寸法を有し、吸収体４の周縁から外方に延出している。裏面シート３は、図１に示す如き展開且つ伸張状態のおむつ１の外形を形成している。表面シート２及び裏面シート３としては、それぞれ、この種の吸収性物品に従来用いられている各種のものを特に制限なく用いることができる。例えば、表面シート２としては各種の不織布や開孔フィルム等を用いることができ、裏面シート３としては樹脂フィルムや、樹脂フィルムと不織布等とのラミネート等を用いることができる。裏面シート３には、例えば、液不透過性のフィルムシート単独の形態と、該フィルムシートの非肌対向面側に外装シートとして例えば不織布を積層配置した形態とがある。
【００１６】
おむつ１は、股下部１Ｍを含む縦方向Ｘの中央部における、縦方向Ｘに沿う両側縁が内向きの円弧状に湾曲しており、図１に示す如き平面視において、縦方向Ｘの中央部が内方に括れた砂時計状をなしている。股下部１Ｍは、吸収体４を縦方向に３等分した場合の縦方向中央部に位置する領域であり、着用時に着用者の排泄部に対向配置される図示しない排泄部対向部を含んでいる。排泄部対向部は通常、おむつ１の縦方向Ｘの中央即ちおむつ１を縦方向Ｘに二分する仮想中心線よりもやや背側部１Ｒ寄りに偏倚した位置にある。
【００１７】
腹側部１Ｆ及び背側部１Ｒそれぞれの縦方向Ｘの端部であるウエスト部における表面シート２と裏面シート３との間には、糸状の弾性部材３１が横方向Ｙに沿って伸長状態で固定されており、これにより、おむつ１の着用時における該ウエスト部には、弾性部材３１の収縮によりウエストギャザーが形成される。また、おむつ１の表面シート２側における縦方向Ｘに沿う左右両側には、それぞれサイドシート３４が配されている。サイドシート３４は、縦方向Ｘに沿う内側縁部と、該内側縁部よりも横方向Ｙの外方に位置して縦方向Ｘに沿う外側縁部とを有し、図１に示す如き平面視において、該内側縁部は吸収体４と重なり、該外側縁部は吸収体４の縦方向Ｘに沿う側縁から横方向Ｙの外方に延出し裏面シート３と接合されている。着用者の脚周りに配される左右のレッグ部におけるサイドシート３４と裏面シート３との間には、糸状の弾性部材３２が縦方向Ｘに沿って伸長状態で固定されており、これにより、おむつ１の着用時におけるレッグ部には、弾性部材３２の収縮により一対のレッグギャザーが形成される。また、サイドシート３４の内側縁部には、糸状の弾性部材３３が縦方向Ｘに沿って伸長状態で固定されており、これにより、おむつ１の着用時には弾性部材３３の収縮により少なくとも股下部１Ｍに立体ギャザーが形成される。表面シート２、裏面シート３、吸収体４、各弾性部材３１，３２，３３及びサイドシート３４は、ホットメルト型接着剤等の公知の接合手段により互いに接合されている。
【００１８】
図１に示すように、おむつ１の背側部１Ｒの縦方向Ｘに沿う両側縁部には、一対のファスニングテープ３５，３５が設けられている。ファスニングテープ３５には、機械的面ファスナーのオス部材からなる図示しない止着部が取り付けられている。また、おむつ１の腹側部１Ｆの非肌対向面には、機械的面ファスナーのメス部材からなる被止着領域３６が形成されている。被止着領域３６は、腹側部１Ｆの非肌対向面を形成する裏面シート３の非肌対向面に、機械的面ファスナーのメス部材を公知の接合手段（例えば、接着剤やヒートシール等）で接合固定して形成されており、ファスニングテープ３５の前記止着部を着脱自在に止着可能になされている。
【００１９】
吸収体４は、液保持性の吸収性コア４０と、該吸収性コア４０の肌対向面を被覆する肌側コアラップシート４１と、該吸収性コア４０の非肌対向面を被覆する非肌側コアラップシート４２とを含んで構成されている。吸収性コア４０とコアラップシート４１，４２とはそれぞれホットメルト型接着剤等の接着剤を介して互いに接合されている。本実施形態においては後述するように、この吸収性コア４０とコアラップシート４１，４２との間の接着剤の配置パターンに工夫を施している。吸収性コア４０は単層構造であり、図１に示す如き平面視において、股下部１Ｍに位置する縦方向Ｘの中央部が内方に括れた砂時計状をなし、縦方向Ｘに長い形状を有している。
【００２０】
吸収性コア４０は、吸収性材料を含んで構成されており、吸収性材料として吸水性ポリマー及び親水性繊維を含んでいる。吸水性コア４０の具体例として、セルロース系繊維を含む繊維集合体に吸水性ポリマー粒子を保持させたものが挙げられる。この繊維集合体は、繊維の機械的絡み合い、繊維どうしの接着や融着等により形成されたシート状物であり、具体例としては紙、不織布、それらの複合体等が挙げられる。吸水性ポリマー粒子は、繊維集合体の内部において三次元的に分散されている。
【００２１】
吸収性コア４０に含有させる吸水性ポリマーとしては、この種の吸収性物品に従来用いられているものを特に制限なく用いることができるが、特に自重の２０倍以上の液体を吸収・保持でき且つゲル化し得る吸水性ポリマーが好ましく、例えば、デンプンや架橋カルボキシルメチル化セルロース、アクリル酸又はアクリル酸アルカリ金属塩の重合体又は共重合体等、ポリアクリル酸及びその塩並びにポリアクリル酸塩グラフト重合体が挙げられる。吸収性コア４０に含有される吸水性ポリマーは通常、球状、楕円形状等の所定形状を有する粒子である。吸水性ポリマー粒子の粒径は好ましくは２〜８００μｍ、さらに好ましくは５０〜６００μｍである。
【００２２】
吸収性コア４０に含有させる親水性繊維としては、例えばセルロース系繊維が挙げられ、具体的には、針葉樹晒クラフトパルプ（ＮＢＫＰ）、広葉樹晒クラフトパルプ（ＬＢＫＰ）、針葉樹晒サルファイトパルプ（ＮＢＳＰ）、サーモメカニカルパルプ（ＴＭＰ）等の木材パルプ；藁、竹、ケナフ、麻等の非木材パルプ等が挙げられ、これらの１種を単独で又は２種以上を組み合わせて用いることができる。
【００２３】
肌側コアラップシート４１と非肌側コアラップシート４２とは、１）１枚の連続したシートであっても良く、２）それぞれ別体のシートであっても良い。前記１）の場合は例えば、吸収性コア４０の横方向Ｙの長さの２倍以上３倍以下の幅を有する１枚の連続したコアラップシートを用いることができる。本実施形態においては、この１枚の連続したコアラップシートが採用されており、肌側コアラップシート４１と非肌側コアラップシート４２とで１枚の連続したシートを構成している。本実施形態においてこの一枚の連続したコアラップシートは、図２に示すように、吸収性コア４０の肌対向面の全域を被覆し、且つ吸収性コア４０の縦方向Ｘに沿う両側縁から横方向Ｙの外方に延出し、その延出部が、吸収性コア４０の下方に巻き下げられて、吸収性コア４０の非肌対向面の全域を被覆しており、この１枚のコアラップシートにおいて、吸収性コア４０の肌対向面を被覆する部分が肌側コアラップシート４１、吸収性コア４０の非肌対向面を被覆する部分が非肌側コアラップシート４２である。
【００２４】
前記２）の場合は、肌側コアラップシート４１と非肌側コアラップシート４２とで、幅方向Ｙの長さ即ち幅は同じでも良く、異なっていても良い。両シート４１，４２で幅が異なる場合は、どちらが長くても良い。例えば、肌側コアラップシート４１は、吸収性コア４０の肌対向面の最大幅と同じ幅を有する、換言すれば、吸収性コア４０の肌対向面の全域を被覆可能な大きさを有するものとし、非肌側コアラップシート４２は、該シート４１よりも幅広にすることができる。その幅広の非肌側コアラップシート４２は、吸収性コア４０の非肌対向面の全域を被覆し、且つ吸収性コア４０の縦方向Ｘに沿う両側縁から幅方向Ｙの外方に延出し、その延出部が、吸収性コア４０の肌対向面に対向配置された肌側コアラップシート４１上に巻き上げられ、該シート４１の縦方向Ｘに沿う両側縁部を被覆していても良い。
【００２５】
コアラップシート４１，４２としては、透液性のシート材料を用いることができる。従来この種の吸収性物品におけるコアラップシートとしては、紙、不織布等が用いられており、本実施形態においても肌側コアラップシート４１としては紙を用いることもできるが、少なくとも非肌側コアラップシート４２としては、紙を用いずに、不織布を用いる。本実施形態のように、コアラップシートとして１枚の連続したシートを用いる場合には、その１枚の連続したシートとしては不織布を用いることになり、その場合は非肌側コアラップシート４２のみならず、肌側コアラップシート４１も不織布である。不織布は、紙よりも破断伸度が大きく、変形したとしても破れにくいという特性を有しており、また後述するように、非肌側コアラップシート４２には、該シート４２の一部を横方向Ｙに折り畳んだタック部６が形成されるので、そのタック部６の強度の確保等の観点から、少なくとも非肌側コアラップシート４２としては不織布を用いる。コアラップシート４１，４２として使用可能な不織布としては、この種の吸収性物品において構成部材として使用可能なものを特に制限なく用いることができ、例えば、エアスルー不織布、ヒートロール不織布、スパンレース不織布、スパンボンド不織布、メルトブローン不織布、スパンボンド−メルトブローン−スパンボンド不織布等が挙げられる。これらの不織布は、親水化処理が施された繊維からなる親水性不織布であっても良い。
【００２６】
吸収性コア４０には、該吸収性コア４０を厚み方向に貫通する孔からなる非積繊部５が、股下部１Ｍにおいて縦方向Ｘに延びるように形成されている。本実施形態における非積繊部５は、図１に示すように、平面視において矩形形状より具体的には長方形形状をなし、その長手方向を縦方向Ｘに一致させて吸収性コア４０の横方向Ｙの中央に２本形成されており、少なくとも股下部１Ｍの前記排泄部対向部を通って縦方向Ｘに延びている。２本の非積繊部５，５は、吸収性コア４０又はおむつ１を横方向Ｙに二分して縦方向Ｘに延びる図示しない仮想的な縦中心線を基準として対称に形成されている。吸収性コア４０の肌対向面において、各非積繊部５の横方向Ｙの長さ即ち幅はその縦方向Ｘの全長に亘って一定であり、また図示していないが、吸収性コア４０の非肌対向面においても、各非積繊部５の横方向Ｙの幅はその縦方向Ｘの全長に亘って一定である。
【００２７】
非積繊部５は、吸収性コア４０の製造時における、吸収性コア４０の形成材料、例えば木材パルプ等の繊維材料、吸水性ポリマー粒子等の吸収性材料の積繊工程において、該吸収性材料の積繊を意図的に阻害して形成された部位である。非積繊部５を有する吸収性コア４０は、従来公知の吸収性コアの製造方法に従って製造することができ、例えば、空気流に乗せて供給した吸収性材料を、回転ドラムの外周面に形成された成形型上に吸引して積繊させて吸収性コア４０を得る方法において、該成形型として所定パターンの成形型、例えば、非積繊部５に対応する部位が周辺部に比して上方に突出している成形型を用いることで製造することができる。斯かる製造方法で得られた吸収性コア４０において、吸収性材料が存在していない部分が非積繊部５である。尚、非積繊部５を有する吸収性コア４０の他の製造方法として、非積繊部を有していない吸収性コアを製造し、該吸収性コアの所定部位にエンボス加工や型抜き加工や切削加工等の後加工を施して非積繊部を形成する方法を採用することもできる。
【００２８】
図２に示すように、非積繊部５においては肌側コアラップシート４１と非肌側コアラップシート４２とが接合している。本実施形態においては、両シート４１，４２の接合部は、吸収体４の厚み方向において非肌対向面側即ち裏面シート３側に偏在しており、非肌側コアラップシート４２は平坦であるが、肌側コアラップシート４１は非積繊部５の形成位置において凹状に窪んでいる。また本実施形態においては、両シート４１，４２の接合部は、非積繊部５の縦方向Ｘの全長に亘って連続している。
【００２９】
非積繊部５における両シート４１，４２の接合部は、例えば次のようにして形成することができる。即ち、両シート４１，４２の少なくとも一方における非積繊部５の対応位置に予めホットメルト型接着剤等の接着剤を塗布しておき、吸収性コア４０を両シート４１，４２で被覆して吸収体４を得た後、吸収体４の非積繊部５を肌対向面側から押圧処理して肌側コアラップシート４１を非肌側コアラップシート４２側に押し込むことにより、非積繊部５において両シート４１，４２を接着剤を介して接合させることができる。この非積繊部５の押圧処理は、熱を伴うか若しくは伴わないエンボス又は超音波エンボス等の公知のエンボス加工を採用できる。非積繊部５の押圧処理として、例えば熱を伴うエンボス加工の如き加熱加圧処理を採用した場合、非積繊部５において肌側コアラップシート４１と非肌側コアラップシート４２とが融着するので、両シート４１，４２どうしは、接着剤による接合よりもより強固に接合し得る。この場合、非肌側コアラップシート４２は平坦であるが、肌側コアラップシート４１は非積繊部５の形成位置において凹状に窪むことになる。尚、非積繊部５の押圧処理は、非積繊部５の形成位置にて非肌側コアラップシート４２を肌側コアラップシート４１側に押し込んで行っても良く、あるいは非積繊部５の形成位置にて両シート４１，４２を同時に押圧して行っても良い。前者の場合、肌側コアラップシート４１は平坦であるが、非肌側コアラップシート４２は非積繊部５の形成位置において凹状に窪むこととなり、後者の場合、非積繊部５における両シート４１，４２の接合部は、吸収体４の厚み方向の中央部に位置し、両シート４１，４２はそれぞれ非積繊部５の形成位置において凹状に窪むこととなる。
【００３０】
本実施形態のおむつ１の主たる特徴の１つとして、吸収性コア４０（吸収体４）が液を吸収していない状態即ち未使用状態において、吸収性コア４０と裏面シート３との間に、非肌側コアラップシート４２の一部が横方向Ｙに折り畳まれたタック部６が形成されている点が挙げられる。図３には、説明容易の観点から、吸収体４と裏面シート３との接着剤による接合を解除して分離させた状態が示されている。タック部６は、図２及び図３に示すように、吸収体４の非肌対向面における横方向Ｙの両側部それぞれに１個形成されており、それら複数個（２個）のタック部６は、吸収体４の横方向Ｙの中央を基準として対称に形成されている。
【００３１】
タック部６は、非肌側コアラップシート４２，４２どうしが相対向する部分を含んで構成されており、その相対向するシート４２，４２の連接部分であり、タック部６を形成する際の折り曲げ端部でもある先端部６Ｔと、該先端部６Ｔとは反対側に位置する基端部６Ｂとを有する。タック部６は、吸収体４の縦方向Ｘの全長に亘って連続しており、図示していないが、タック部６の先端部６Ｔは、吸収体４の非肌対向面の平面視において縦方向Ｘに延びる連続直線状をなしている。タック部６の折り畳み方向即ち先端部６Ｔの向きは、横方向Ｙの内方でも外方でも良く、本実施形態においては図２及び図３に示すように、タック部６は横方向Ｙの内方に折り畳まれている。非肌側コアラップシート４２におけるタック部６が折り畳まれている部分は、タック部６を構成する相対向する２枚の該シート４２，４２と折り畳まれていない１枚の該シート４２とからなる三層構造を有している。
【００３２】
タック部６の少なくとも一部は、吸収性コア４０における非積繊部５以外の部分と吸収性コア４０（おむつ１）の厚み方向において重なっている。つまり、吸収体４の非肌対向面即ち非肌側コアラップシート４２側の平面視において、タック部６の少なくとも一部と吸収性コア４０における非積繊部５以外の部分とが重なっている。本実施形態においては図２及び図３に示すように、タック部６の全体が、吸収性コア４０における非積繊部５以外の部分即ち吸収性材料が存在する部分と重なっている。
【００３３】
本実施形態のおむつ１においては、吸収性コア４０の非積繊部５にて該吸収性コア４０を被覆する肌側コアラップシート４１と非肌側コアラップシート４２とを接合することによって、吸収性コア４０が尿等の排泄液を吸収した際の膨潤を適度に阻害し、そうすることによって、吸水性コア４０からの吸水性ポリマー等の吸収性材料の脱落を防止すると共に、吸収性コア４０の膨潤による破壊を防止し、また、吸収性コア４０の一部が破壊した場合でもその破壊状態のさらなる悪化を防止している。また、本実施形態のおむつ１においては、吸収性コア４０に、液の導通路として機能する一対の非積繊部５，５が股下部１Ｍの前記排泄部対向部を通って縦方向Ｘに延びるように形成されているため、着用者の排泄部から前記排泄部対向部及びその近傍に向けて排泄された尿等の排泄液は、表面シート２を透過して非積繊部５に流入した後、非積繊部５によって縦方向Ｘの前後に拡散され、これによって吸収性コア４０の吸収容量が有効活用され、吸収速度の向上が図られる。
【００３４】
一方で前述したように、このような非積繊部５でのコアラップシート４１，４２どうしの接合による吸収性コアの膨潤抑制によって奏される吸収性コアの破壊防止効果と、吸収性コアの吸収性能とは、二律背反の関係にあり、コアラップシートで吸収性コアの膨潤を抑制することが、吸収性コアの吸収性能の低下に繋がることが懸念される。
【００３５】
斯かる懸念に対し、本実施形態のおむつ１においては、吸収体４の非肌対向面に、非肌側コアラップシート４２を折り畳んでなるタック部６を形成することで、この懸念を払拭し、吸収性コアの破壊防止と吸収性コアの吸収性能とを高いレベルで両立させている。即ちタック部６は、吸収性コア４０の膨潤に合わせて変形してその膨潤スペースとして機能する構成部材であり、吸収性コア４０（吸収体４）が尿等の排泄液を吸収していない未使用状態においては、図２及び図３に示すように、吸収性コア４０と裏面シート３との間で折り畳まれた状態となっているが、吸収性コア４０が排泄液を吸収して徐々に膨潤していくと、その膨潤に伴って、タック部６における相対向する非肌側コアラップシート４２，４２の間が基端部６Ｂ側から徐々に開いていき、最終的には図４に示すように、タック部６を形成していた非肌側コアラップシート４２の折り畳み状態が完全に解消されて消失する。このタック部６の消失までの過程で、吸収性コア４０は、タック部６によって提供される膨潤スペースを使って十分に膨潤することができるので、吸収性コア４０が本来有する吸収性能を十分に活用することができる。つまり、本実施形態のおむつ１によれば、吸収性能の低下を招かずに、吸収性コアの破壊や吸収性コアからの吸収性材料の脱落を防止することができ、着用中長時間に亘って優れた吸収性能を発揮し得る。
【００３６】
仮にタック部６を、吸収体４の肌対向面に形成、即ち、表面シート２と吸収性コア４０との間に位置する肌側コアラップシート４１の一部を折り畳んで形成した場合、その吸収体４の肌対向面に形成されたタック部６は吸収性コア４０の膨潤スペースとして機能し得るが、その場合には、排泄液を速やかに吸収性コア４０側に透過させるべき肌側コアラップシート４１に、該シート４１の折り畳み部が形成されることになるため、該シート４１の液透過性が低下し、吸収性能に悪影響を及ぼすおそれがある。そこで、本実施形態においては、タック部６を吸収体４の非肌対向面に形成している。
【００３７】
また仮にタック部６を、２枚のコアラップシートの端部どうしを重ね合わせて接合することによって形成した場合、その２枚のシートからなるタック部６が吸収性コア４０の膨潤に伴って基端部６Ｂ側から開いていく過程で、先端部６Ｔにおける該２枚のシートの接合が解除されて先端部６Ｔが開口し、その開口を介して吸水性ポリマー等の吸収性コア４０の吸収性材料が外部に漏れ出すおそれがある。これに対し、本実施形態においては、タック部６が１枚のシート（非肌側コアラップシート４２）を折り畳んで形成されているため、その折り畳み端部である先端部６Ｔにおいては該１枚のシートが連続していて、前記のように吸収性コア４０の膨潤過程で先端部６Ｔが開口するおそれがなく、吸収性材料の脱落が効果的に防止される。
【００３８】
吸収性コア４０の膨潤に伴ってタック部６が速やか且つ確実に変形し、タック部６による吸収性コア４０の膨潤スペースの提供がスムーズになされるようにする観点から、図２及び図３に示す如き折り畳まれた状態のタック部６において相対向する非肌側コアラップシート４２，４２どうしは、（１）互いに接合されていないか、又は（２）互いに接合されているがその接合力は、非積繊部５における肌側コアラップシート４１と非肌側コアラップシート４２との接合力に比して弱いことが好ましい。前記（１）の場合、タック部６において相対向する非肌側コアラップシート４２，４２どうしは、接着剤等の接合手段によって互いに接合されておらず、単に重ね合わされているだけである。
【００３９】
前記（２）の場合、タック部６において相対向する非肌側コアラップシート４２，４２どうしを接合する接合手段としては、ホットメルト型接着剤等の接着剤を用いることができる。前記の「タック部６におけるシート４２，４２同士の接合力＜非積繊部５におけるシート４１，４２の接合力」なる大小関係を実現する方法としては、例えば、ｉ）タック部６においては相対的に接着力の低い接着剤を用い、非積繊部５においては相対的に接着力の高い接着剤を用いる方法、ｉｉ）タック部６における接着剤の坪量を非積繊部５における接着剤の坪量よりも少なくする方法が挙げられる。
【００４０】
前記ｉ）及びｉｉ）の方法は何れも、タック部６における接合力を相対的に低下させる方法であるが、ｉｉｉ）非積繊部５の接合力を相対的に高める方法によっても、前記の「タック部６におけるシート４２，４２同士の接合力＜非積繊部５におけるシート４１，４２の接合力」なる大小関係を実現することが可能である。即ち例えば、非積繊部５において肌側コアラップシート４１と非肌側コアラップシート４２とが融着している場合には、その融着による両シート４１，４２の接合力は通常、タック部６において接着剤によって互いに接合されている相対向する非肌側コアラップシート４２，４２どうしの接合力に比して強いため、前記の接合力の大小関係が実現される。非積繊部５において両シート４１，４２を融着させる方法としては例えば、前記の非積繊部５の押圧処理、特に、熱を伴うエンボス加工の如き加熱加圧処理が挙げられる。
【００４１】
非積繊部５において肌側コアラップシート４１と非肌側コアラップシート４２とを接着剤によって接合する場合（両シート４１，４２を融着させない場合）の接着剤の坪量は、好ましくは２ｇ／ｍ2以上、さらに好ましくは３ｇ／ｍ2以上、そして、好ましく１０ｇ／ｍ2以下、さらに好ましくは８ｇ／ｍ2以下、より具体的には、好ましくは２ｇ／ｍ2以上１０ｇ／ｍ2以下、さらに好ましくは３／ｍ2以上８ｇ／ｍ2以下である。
一方、タック部６において相対向する非肌側コアラップシート４２，４２どうしを接着剤によって接合する場合の接着剤の坪量は、好ましくは１ｇ／ｍ2以上、さらに好ましくは２ｇ／ｍ2以上、そして、好ましくは９ｇ／ｍ2以下、さらに好ましくは８ｇ／ｍ2以下、より具体的には、好ましくは１ｇ／ｍ2以上９ｇ／ｍ2以下、さらに好ましくは２ｇ／ｍ2以上８ｇ／ｍ2以下である。
【００４２】
本実施形態においては、図３に示すように、吸収性コア４０における非積繊部５以外の部分即ち吸収性材料が存在する部分と、肌側コアラップシート４１及び非肌側コアラップシート４２とが、ホットメルト型接着剤等の接着剤を塗布してなる非肌側接着剤塗布部４５、肌側接着剤塗布部４６及び側部接着剤塗布部４７を介して、接合されている。これらの接着剤塗布部４５，４６，４７によって、コアラップシート４１，４２の適正位置からのズレが効果的に防止され、前述した作用効果がより一層確実に奏されるようになる。
【００４３】
図３に示すように、吸収性コア４０の非肌対向面と非肌側コアラップシート４２との間においては、吸収性コア４０の横方向Ｙの中央部及び両側部それぞれに１箇所ずつ合計３箇所に接着剤が塗布されており、それによってそれら３箇所それぞれに、平面視において縦方向Ｘに延びる連続線状の非肌側接着剤塗布部４５が形成されている。これら複数個（３個）の非肌側接着剤塗布部４５は、横方向Ｙに間欠的に配され且つタック部６と重なっていない。つまり、吸収性コア４０の非肌対向面即ち吸収性材料が存在する部分においては、平面視においてタック部６と重なる部分には接着剤が塗布されておらず、非肌側接着剤塗布部４５が形成されていない。斯かる構成により、非肌側コアラップシート４２を非肌側接着剤塗布部４５を介して吸収性コア４０の非肌対向面の適切な位置にしっかりと固定しつつ、吸収性コア４０の膨潤時には、タック部６における相対向する非肌側コアラップシート４２，４２の間を基端部６Ｂ側から速やかに開かせることが可能となり、吸収性コア４０の膨潤に必要なスペースがタック部６によって速やかに提供されるようになる。
【００４４】
吸収性コア４０の膨潤に必要なスペースがタック部６によって速やかに提供されるようにする観点から、非肌側接着剤塗布部４５による吸収性コア４０の非肌対向面と非肌側コアラップシート４２との接合力は、非積繊部５における肌側コアラップシート４１と非肌側コアラップシート４２との接合力に比して弱いことが好ましい。この「吸収性コア４０の非肌対向面と非肌側コアラップシート４２との接合力＜非積繊部５におけるシート４１，４２の接合力」なる大小関係を実現する方法としては、例えば、前記のｉ）に準じて、非肌側接着剤塗布部４５においては相対的に接着力の低い接着剤を用い、非積繊部５においては相対的に接着力の高い接着剤を用いる方法が挙げられる。また前記ｉｉ）に準じて、非肌側接着剤塗布部４５における接着剤の坪量を非積繊部５における接着剤の坪量よりも少なくする方法が挙げられる。また、前記ｉｉｉ）のように、非積繊部５において肌側コアラップシート４１と非肌側コアラップシート４２とを融着させて、非積繊部５の接合力を非肌側接着剤塗布部４５による接合力よりも高める方法でも良い。
【００４５】
また図３に示すように、吸収性コア４０の肌対向面と肌側コアラップシート４１との間においては、吸収性コア４０の横方向Ｙの中央部に２箇所及び両側部それぞれに１箇所の合計４箇所に接着剤が塗布されており、それによってそれら４箇所それぞれに、平面視において縦方向Ｘに延びる連続線状の肌側接着剤塗布部４６が形成されている。本実施形態においては、これら複数個（４個）の肌側接着剤塗布部４６と複数個（３個）の非肌側接着剤塗布部４５とは、吸収性コア４０（おむつ１）の厚み方向において重なっていない。つまり、吸収体４の平面視において非肌側接着剤塗布部４５と肌側接着剤塗布部４６とが重なっていない。
【００４６】
非肌側接着剤塗布部４５及び肌側接着剤塗布部４６は何れも、コアラップシート４１，４２に包囲された空間内における吸収性コア４０の動きの自由度を低下させる役割を果たし、吸収性コア４０の動きの自由度が低下することで吸収性コア４０の破壊が効果的に防止される。吸収性コア４０の動きの自由度の低下を図るためには、非肌側接着剤塗布部４５及び肌側接着剤塗布部４６の少なくとも一方が存在すれば良く、両方が存在していれば尚良い。両接着剤塗布部４５，４６の特に好ましい配置パターンは、「図１に示す如き吸収体４の平面視において、吸収体４を縦方向Ｘに縦断する図示しない仮想直線を任意の位置に１本引いた場合、その１本の仮想直線と非肌側接着剤塗布部４５又は肌側接着剤塗布部４６とが重なる配置パターン」である。換言すれば、「非肌側接着剤塗布部４５の配置パターンと肌側接着剤塗布部４６の配置パターンとを仮想的に重ね合わせた場合に、その重ね合わせによってできた仮想領域の全体が、非肌側接着剤塗布部４５及び／又は肌側接着剤塗布部４６によって覆われている配置パターン」が特に好ましい。
【００４７】
また図３に示すように、吸収性コア４０の縦方向Ｘに沿う両側部、即ち、吸収性コア４０の外面における肌対向面と非肌対向面とに挟まれた部分と、該部分を被覆するコアラップシートとは、側部接着剤塗布部４７を介して接合されている。側部接着剤塗布部４７の平面視形状（吸収性コア４０の側面視における形状）は特に制限されず、例えば、吸収性コア４０の縦方向Ｘの全長に亘って連続する連続線状でも良く、不連続線状でも良い。本実施形態においては、肌側コアラップシート４１と非肌側コアラップシート４２とで１枚の連続したシートを構成しており、その１枚の連続したコアラップシートが側部接着剤塗布部４７を介して吸収性コア４０の側部に確実に接着するため、肌側コアラップシート４１及び非肌側コアラップシート４２としてそれぞれ別体のシートを用いる場合に比して、吸収性コア４０の破壊防止効果がより一層確実に奏される。
【００４８】
非肌側接着剤塗布部４５における接着剤の坪量は、好ましくは２ｇ／ｍ2以上、さらに好ましくは３ｇ／ｍ2以上、そして、好ましくは１０ｇ／ｍ2以下、さらに好ましくは８ｇ／ｍ2以下、より具体的には、好ましくは２ｇ／ｍ2以上１０ｇ／ｍ2以下、さらに好ましくは３／ｍ2以上８ｇ／ｍ2以下である。
肌側接着剤塗布部４６における接着剤の坪量は、好ましくは２ｇ／ｍ2以上、さらに好ましくは３ｇ／ｍ2以上、そして、好ましくは１０ｇ／ｍ2以下、さらに好ましくは８ｇ／ｍ2以下、より具体的には、好ましくは２ｇ／ｍ2以上１０ｇ／ｍ2以下、さらに好ましくは３／ｍ2以上８ｇ／ｍ2以下である。
側部接着剤塗布部４７における接着剤の坪量は、好ましくは２ｇ／ｍ2以上、さらに好ましくは３ｇ／ｍ2以上、そして、好ましくは１０ｇ／ｍ2以下、さらに好ましくは８ｇ／ｍ2以下、より具体的には、好ましくは２ｇ／ｍ2以上１０ｇ／ｍ2以下、さらに好ましくは３／ｍ2以上８ｇ／ｍ2以下である。
【００４９】
表面シート２及び裏面シート３と吸収体４との間は、それぞれ、接着剤によって接合されており、それによって吸収体４の適正位置からのズレを防止している。表面シート２と吸収体４との間については、任意の位置に接着剤を塗布して接合して構わないが、裏面シート３と吸収体４との間については、前述したタック部６の機能を妨げないように接着剤の位置に留意する必要がある。斯かる観点から、本実施形態においては図３に示すように、吸収体４は、タック部６以外の部分にて裏面シート３と接着剤塗布部４８を介して接合されている。接着剤塗布部４８は、平面視において縦方向Ｘに延びる連続線状をなし、複数個（５個）の接着剤塗布部４８が横方向Ｙに間欠的に配されている。尚、図３では説明容易の観点から、吸収体４と裏面シート３とを分離して示しているが、実際には、吸収体４と裏面シート３とは接着剤塗布部４８を介して接合している。斯かる構成により、吸収体４と裏面シート３とを接着剤４８を介してしっかりと固定して意図しないズレを防止しつつ、吸収性コア４０の膨潤時には、タック部６における相対向する非肌側コアラップシート４２，４２の間を基端部６Ｂ側から速やかに開かせることが可能となる。接着剤塗布部４８の坪量は、好ましくは２ｇ／ｍ2以上、さらに好ましくは３ｇ／ｍ2以上、そして、好ましくは５０ｇ／ｍ2以下、さらに好ましくは２５ｇ／ｍ2以下、より具体的には、好ましくは２ｇ／ｍ2以上５０ｇ／ｍ2以下、さらに好ましくは３ｇ／ｍ2以上２５ｇ／ｍ2以下である。
【００５０】
吸収性コア４０に含まれる吸水性ポリマーは通常、吸収性コア４０の全体に均一に分布しているが、吸収性コア４０において吸水性ポリマーを偏在させることで、前述した、吸収性コア４０の膨潤に伴うタック部６の変形を促進させることが可能である。即ち、吸水性ポリマーが、吸収性コア４０の厚み方向において、肌対向面側即ち表面シート２に近い側よりも、非肌対向面側即ち裏面シート３に近い側に多く存在していると、その吸収性コア４０の非肌対向面側の液吸収による膨潤の度合いが、吸水性ポリマーが吸収性コア４０中に均一分布している場合に比して大きくなるため、タック部６をその基端部６Ｂ側から開かせる力が強くなり、その結果、吸収性コア４０の膨潤に伴うタック部６の変形が速やかに起こり、タック部６による吸収性コア４０の膨潤スペースの提供がより一層速やか且つ確実になされるようになる。
【００５１】
また、折り畳まれた状態のタック部６において相対向する非肌側コアラップシート４２，４２どうしは密着していることが好ましい。換言すれば、折り畳まれた状態のタック部６において相対向する非肌側コアラップシート４２，４２間には、吸水性ポリマー等の吸収性材料及び空間部が存在しないことが好ましい。斯かる構成により、タック部６の内部に尿等の排泄液が移行し難くなり、それによってタック部６は、ある程度の量の排泄液が吸収性コア４０に吸収されるまでは、変形せずにその折り畳み状態を維持しつつ、吸収性コア４０の膨潤を抑制して破壊を防止し、吸収性コア４０による排泄液の吸収量が所定量を超えたときには、速やかに変形して吸収性コア４０の膨潤スペースを提供するようになり、吸収性コア４０の破壊防止と吸収性コア４０の吸収性能とをより高いレベルで両立させることが可能となる。
【００５２】
前述した作用効果をより確実に奏させるようにする観点から、吸収体４における各部の寸法等は下記範囲にあることが好ましい。
非積繊部５の縦方向Ｘの長さは、吸収性コア４０の縦方向Ｘの長さに対して、好ましくは２０％以上、さらに好ましくは３０％以上、そして、好ましくは６０％以下、さらに好ましくは５０％以下、より具体的には、好ましくは２０％以上６０％以下、さらに好ましくは３０％以上５０％以下である。
非積繊部５の横方向Ｙの長さ即ち幅は、好ましくは２ｍｍ以上、さらに好ましくは３ｍｍ以上、そして、好ましくは１５ｍｍ以下、さらに好ましくは１０ｍｍ以下、より具体的には、好ましくは２ｍｍ以上１５ｍｍ以下、さらに好ましくは３ｍｍ以上１０ｍｍ以下である。
吸収性コア４０（吸収体４）が液を吸収していない状態即ち未使用状態において、折り畳まれた状態のタック部６の横方向Ｙの長さ、即ち、基端部６Ｂと先端部６Ｔとの離間距離は、好ましくは１ｍｍ以上、さらに好ましくは２ｍｍ以上、そして、好ましくは１０ｍｍ以下、さらに好ましくは５ｍｍ以下、より具体的には、好ましくは１ｍｍ以上１０ｍｍ以下、さらに好ましくは２ｍｍ以上５ｍｍ以下である。
吸収性コア４０の坪量は、好ましくは２００ｇ／ｍ２以上、さらに好ましくは３００ｇ／ｍ２以上、そして、好ましくは８００ｇ／ｍ２以下、さらに好ましくは７００ｇ／ｍ２以下、より具体的には、好ましくは２００ｇ／ｍ２以上８００ｇ／ｍ２以下、さらに好ましくは３００ｇ／ｍ２以上７００ｇ／ｍ２以下である。
【００５３】
図５及び図６には、本発明に係る吸収体の他の実施形態が示されている。後述する他の実施形態については、前記実施形態における吸収体４と異なる構成部分を主として説明し、同様の構成部分は同一の符号を付して説明を省略する。特に説明しない構成部分は、前記実施形態についての説明が適宜適用される。
【００５４】
吸収体４Ａにおいては、図５に示すように、吸収性コア４０Ａに非積繊部５が縦方向Ｘ及び横方向Ｙの両方向に延びるように形成されている。即ち、吸収性コア４０Ａにおいては、縦方向Ｘに延びる平面視長方形形状の非積繊部５が、吸収性コア４０Ａの横方向Ｙの中央に２本形成されていると共に、横方向Ｙに延びる平面視長方形形状の非積繊部５が、それら２本の縦方向Ｘに延びる非積繊部５と交差（直交）するように形成されている。横方向Ｙに延びる非積繊部５は、腹側部１Ｆ、股下部１Ｍ及び背側部１Ｒそれぞれに１本以上形成されており、それぞれ、吸収性コア４０の縦方向Ｘに沿う側縁又はその近傍に達している。このように吸収性コア４０Ａに非積繊部５が格子状に形成されていることにより、吸収性コア４０Ａには、吸収性材料が存在する部分と該部分を包囲する非積繊部５とが存在している。吸収性コア４０Ａは、尿等の排泄液の導通路として機能する積繊部５が、縦方向Ｘ及び横方向Ｙの両方向に延びるように形成されていることによりこれら両方向への液拡散性に優れ、それ故、「横方向Ｙの中央部、特に縦方向Ｘに延びる２本の非積繊部５，５に挟まれた部位よりも横方向Ｙの両側部の方が液を吸収しやすい」、という特徴的な吸収特性を有している。
【００５５】
そして、このような特徴的な吸収特性を有する吸収性コア４０Ａを備えた吸収体４Ａにおいては、その吸収特性を考慮してタック部６が形成されている。具体的には図６に示すように、タック部６は、吸収体４Ａの横方向Ｙの中央部即ち縦方向Ｘに延びる一対の非積繊部５，５に挟まれた部位と、横方向Ｙの両側部即ち該一対の非積繊部５，５よりも横方向Ｙの外方とに形成されており、横方向Ｙの両側部それぞれの方が、横方向Ｙの中央部に比してタック部６の数が多い。図６においては、吸収体４Ａの横方向Ｙの中央部にタック部６が２個形成され、横方向Ｙの両側部それぞれにタック部６が３個形成されており、これら各部における複数のタック部６は互いに密着して１個のタック部群を形成している。斯かるタック部６の配置パターンは、吸収性コア４０Ａが有する、「横方向Ｙの中央部よりも両側部の方が液を吸収しやすい」という吸収特性を考慮し、排泄液の吸収による膨潤の度合いが、横方向Ｙの中央部よりも大きいと予想される、吸収体４Ａの横方向Ｙの両側部それぞれに、該中央部よりも多数のタック部６（多数のタック部６からなるタック部群）を形成したものである。タック部群を構成するタック部６の数が多いほど、吸収性コア４０Ａにおける該タック部群と重なる部分及びその近傍の膨潤スペースが広くなる。
【００５６】
以上、本発明について説明したが、本発明は、前述した実施形態に制限されず適宜変更可能である。例えば前記実施形態では、吸収性コア４０における非積繊部５は２本であったが、１本でも良く、３本以上でも良い。例えば、吸収性コア４０に非積繊部５を１本形成する場合、その１本の非積繊部５は、吸収性コア４０を横方向Ｙに二分して縦方向Ｘに延びる縦中心線Ｌｘ（図３参照）上に形成することができる。本発明の吸収性物品は、前記実施形態の如き展開型の使い捨ておむつに制限されず、人体から排出される尿、経血、軟便、汗等の体液の吸収に用いられる物品を広く包含し、パンツ型の使い捨ておむつ、生理用ナプキン、生理用ショーツ等も包含される。前述した本発明の実施形態に関し、更に以下の付記を開示する。
【００５７】
＜１＞
液保持性の吸収体と該吸収体の非肌対向面側に配された裏面シートとを具備し、着用者の前後方向に対応する縦方向とこれに直交する横方向とを有すると共に、着用者の股間部に配される股下部を有する吸収性物品であって、
前記吸収体は、吸水性ポリマー及び親水性繊維を含む吸収性コアと、該吸収性コアの肌対向面を被覆する肌側コアラップシートと、該吸収性コアの非肌対向面を被覆する非肌側コアラップシートとを含んで構成されており、少なくとも該非肌側コアラップシートは不織布からなり、
前記吸収性コアに、該吸収性コアを厚み方向に貫通する孔からなる非積繊部が、前記股下部において縦方向に延びるように形成され、該非積繊部において前記肌側コアラップシートと前記非肌側コアラップシートとが接合されており、
前記吸収性コアが液を吸収していない状態において、該吸収性コアと前記裏面シートとの間に、前記非肌側コアラップシートの一部が横方向に折り畳まれたタック部が形成されており、且つ該タック部の少なくとも一部が、該吸収性コアにおける前記非積繊部以外の部分と該吸収性コアの厚み方向において重なっている吸収性物品。
【００５８】
＜２＞
折り畳まれた状態の前記タック部において相対向する前記非肌側コアラップシートどうしは、互いに接合されていないか、又は互いに接合されているがその接合力は、前記非積繊部における前記肌側コアラップシートと前記非肌側コアラップシートとの接合力に比して弱い前記＜２＞に記載の吸収性物品。
＜３＞
前記非積繊部において前記肌側コアラップシートと前記非肌側コアラップシートとが融着している前記＜１＞又は＜２＞に記載の吸収性物品。
【００５９】
＜４＞
前記吸収性コアの非肌対向面と前記非肌側コアラップシートとの間に接着剤が塗布されて、平面視において縦方向に延びる連続線状の非肌側接着剤塗布部が複数形成されており、複数の該非肌側接着剤塗布部は、横方向に間欠的に配され且つ前記タック部と重なっていない前記＜１＞〜＜３＞の何れか一項に記載の吸収性物品。
＜５＞
前記非肌側接着剤塗布部における接着剤の坪量は、好ましくは２ｇ／ｍ2以上、さらに好ましくは３ｇ／ｍ2以上、そして、好ましくは１０ｇ／ｍ2以下、さらに好ましくは８ｇ／ｍ2以下である前記＜４＞に記載の吸収性物品。
＜６＞
前記非肌側接着剤塗布部による前記吸収性コアの非肌対向面と前記非肌側コアラップシートとの接合力は、前記非積繊部における前記肌側コアラップシートと該非肌側コアラップシートとの接合力に比して弱い前記＜４＞又は＜５＞に記載の吸収性物品。
＜７＞
前記吸収性コアの肌対向面と前記肌側コアラップシートとの間に接着剤が塗布されて、平面視において縦方向に延びる連続線状の肌側接着剤塗布部が形成されており、
前記吸収体の平面視において、該吸収体を縦方向に縦断する仮想直線を任意の位置に１本引いた場合、その１本の仮想直線と前記肌側接着剤塗布部又は前記非肌側接着剤塗布部とが重なる前記＜４＞〜＜６＞の何れか一項に記載の吸収性物品。
＜８＞
前記肌側接着剤塗布部における接着剤の坪量は、好ましくは２ｇ／ｍ2以上、さらに好ましくは３ｇ／ｍ2以上、そして、好ましくは１０ｇ／ｍ2以下、さらに好ましくは８ｇ／ｍ2以下である前記＜７＞に記載の吸収性物品。
【００６０】
＜９＞
前記吸収体は、前記タック部以外の部分にて前記裏面シートと接着剤を介して接合されている前記＜１＞〜＜８＞の何れか一項に記載の吸収性物品。
＜１０＞
前記吸収体と前記裏面シートとを接合する接着剤塗布部の坪量は、好ましくは２ｇ／ｍ2以上、さらに好ましくは３ｇ／ｍ2以上、そして、好ましくは５０ｇ／ｍ2以下、さらに好ましくは２５ｇ／ｍ2以下である前記＜９＞に記載の吸収性物品。
＜１１＞
前記吸収性コアに前記非積繊部が縦方向及び横方向の両方向に延びるように形成されており、
前記タック部は、前記吸収体の横方向の中央部及び両側部に形成されており、該横方向両側部それぞれの方が、該横方向中央部に比して該タック部の数が多い前記＜１＞〜＜１０＞の何れか一項に記載の吸収性物品。
【００６１】
＜１２＞
前記肌側コアラップシートと前記非肌側コアラップシートとで１枚の連続したシートを構成している前記＜１＞〜＜１１＞の何れか一項に記載の吸収性物品。
＜１３＞
前記非積繊部における前記肌側コアラップシートと前記非肌側コアラップシートとの接合部は、該非積繊部の縦方向の全長に亘って連続している前記＜１＞〜＜１２＞の何れか一項に記載の吸収性物品。
＜１４＞
前記タック部は、前記非肌側コアラップシートを折り畳むことによって生じた、相対向する２枚の該シートを含んで構成されており、その相対向する２枚のシートの連接部分であり、該タック部を形成する際の折り曲げ端部でもある先端部と、該先端部とは反対側に位置する基端部とを有する前記＜１＞〜＜１３＞の何れか一項に記載の吸収性物品。
＜１５＞
前記タック部は、前記吸収体の縦方向の全長に亘って連続しており、該タック部の前記先端部は、該吸収体の非肌対向面の平面視において縦方向に延びる連続直線状をなしている前記＜１４＞に記載の吸収性物品。
＜１６＞
前記タック部は横方向内方に折り畳まれている前記＜１＞〜＜１５＞の何れか一項に記載の吸収性物品。
＜１７＞
前記タック部の全体が、前記吸収性コアにおける前記非積繊部以外の部分（吸収性材料が存在する部分）と重なっている前記＜１＞〜＜１６＞の何れか一項に記載の吸収性物品。
【００６２】
＜１８＞
前記非積繊部において前記肌側コアラップシートと前記非肌側コアラップシートとは、互いに融着せずに、接着剤によって接合されており、該接着剤の坪量は、好ましくは２ｇ／ｍ2以上、さらに好ましくは３ｇ／ｍ2以上、そして、好ましく１０ｇ／ｍ2以下、さらに好ましくは８ｇ／ｍ2以下である前記＜１＞〜＜１７＞の何れか一項に記載の吸収性物品。
＜１９＞
前記タック部において相対向する前記非肌側コアラップシートどうしが接着剤によって接合されており、その接着剤の坪量は、好ましくは１ｇ／ｍ2以上、さらに好ましくは２ｇ／ｍ2以上、そして、好ましくは９ｇ／ｍ2以下、さらに好ましくは８ｇ／ｍ2以下である前記＜１＞〜＜１８＞の何れか一項に記載の吸収性物品。
＜２０＞
前記タック部における接着剤の坪量が前記非積繊部における接着剤の坪量よりも少ない前記＜１８＞又は＜１９＞に記載の吸収性物品。
＜２１＞
前記吸収性コアの縦方向に沿う両側部（前記吸収性コアの外面における肌対向面と非肌対向面とに挟まれた部分）と、該両側部を被覆するコアラップシート（前記肌側コアラップシート及び／又は前記非肌側コアラップシート）とは、側部接着剤塗布部を介して接合されている前記＜１＞〜＜２０＞の何れか一項に記載の吸収性物品。
＜２２＞
前記側部接着剤塗布部における接着剤の坪量は、好ましくは２ｇ／ｍ2以上、さらに好ましくは３ｇ／ｍ2以上、そして、好ましくは１０ｇ／ｍ2以下、さらに好ましくは８ｇ／ｍ2以下である前記＜２１＞に記載の吸収性物品。
【００６３】
＜２３＞
前記吸収性コアが液を吸収していない状態（未使用状態）において、折り畳まれた状態の前記タック部の横方向長さ（前記基端部と前記先端部との離間距離）は、好ましくは１ｍｍ以上、さらに好ましくは２ｍｍ以上、そして、好ましくは１０ｍｍ以下、さらに好ましくは５ｍｍ以下である前記＜１＞〜＜２２＞の何れか一項に記載の吸収性物品。
＜２４＞
前記吸水性ポリマーは、前記吸収性コアの厚み方向において、肌対向面側よりも非肌対向面側に多く存在している前記＜１＞〜＜２３＞の何れか一項に記載の吸収性物品。
＜２５＞
折り畳まれた状態の前記タック部において相対向する前記非肌側コアラップシートどうしが密着している前記＜１＞〜＜２４＞の何れか一項に記載の吸収性物品。
＜２６＞
前記非積繊部の縦方向長さは、前記吸収性コアの縦方向長さに対して、好ましくは２０％以上、さらに好ましくは３０％以上、そして、好ましくは６０％以下、さらに好ましくは５０％以下である前記＜１＞〜＜２５＞の何れか一項に記載の吸収性物品。
＜２７＞
前記非積繊部の横方向長さ即ち幅は、好ましくは２ｍｍ以上、さらに好ましくは３ｍｍ以上、そして、好ましくは１５ｍｍ以下、さらに好ましくは１０ｍｍ以下である前記＜１＞〜＜２６＞の何れか一項に記載の吸収性物品。
【符号の説明】
【００６４】
１  使い捨ておむつ（吸収性物品）
１Ｆ  腹側部
１Ｍ  股下部
１Ｒ  背側部
２  表面シート
３  裏面シート
４，４Ａ  吸収体
４０，４０Ａ  吸収性コア
４１  肌側コアラップシート
４２  非肌側コアラップシート
４５  非肌側接着剤塗布部
４６  肌側接着剤塗布部
５  非積繊部
６  タック部
６Ｂ  タック部の基端部
６Ｔ  タック部の先端部
Ｘ  縦方向
Ｙ  横方向
【図１】
0006473323.tif 000002
【図２】
0006473323.tif 000003
【図３】
0006473323.tif 000004
【図４】
0006473323.tif 000005
【図５】
0006473323.tif 000006
【図６】
0006473323.tif 000007